(57)【要約】【課題】商品の取出性や商品取出口内の視認性を低下させることなく商品の盗難を確実に防止することのできる自動販売機の商品取出口構造を提供する。【解決手段】開閉扉２を後方に回動することにより商品取出口１を開放するようにし、開閉扉２の背面側に搬出扉４の開放を規制する規制部２ｂを設けたので、開閉扉２を押開けることにより開閉扉２によって搬出扉４の開放を規制することができ、防盗性の向上を図ることができる。この場合、防盗板を用いることなく商品Ａの抜き取りを防止することができるので、商品Ａの取出性及び商品取出口１内の視認性を低下させることがないという利点がある。【選択図】図４
2005196473.tif 000002
【特許請求の範囲】
【請求項１】
商品取出口の内部後方に設けられた商品搬出口と、商品搬出口に上端を回動自在に支持された搬出扉とを備えた自動販売機の商品取出口構造において、
前記商品取出口の上端に上端を回動自在に支持され、後方に回動することにより商品取出口を開放する開閉扉を備え、
前記開閉扉の背面側に所定の後方回動位置で搬出扉と当接することによって搬出扉の開放を規制する規制部を設けた
ことを特徴とする自動販売機の商品取出口構造。
【請求項２】
前記規制部を開閉扉の幅方向に延びる凸部によって形成した
ことを特徴とする請求項１記載の自動販売機の商品取出口構造。
【請求項３】
前記規制部を互いに開閉扉の幅方向に間隔をおいて配置された複数の凸部によって形成した
ことを特徴とする請求項１記載の自動販売機の商品取出口構造。
【請求項４】
前記開閉扉の背面側の上部に幅方向に延びる突出部を設けた
ことを特徴とする請求項１、２または３記載の自動販売機の商品取出口構造。
【請求項５】
前記開閉扉の前面側に前方に延出することにより商品取出口の下端を幅方向に亘って上方から覆う延出部を設けた
ことを特徴とする請求項１、２、３または４記載の自動販売機の商品取出口構造。
【発明の詳細な説明】
【技術分野】
【０００１】
本発明は、ビン、缶またはペットボトル入り飲料等の商品を販売する自動販売機の商品取出口に関するものである。
【背景技術】
【０００２】
従来、この種の自動販売機の商品取出口構造としては、商品取出口の上端に上端を回動自在に支持され、前方に回動することにより商品取出口を開放する開閉扉と、商品取出口の内部後方に設けられた商品取出口に商品を搬出する商品搬出口と、商品搬出口の上端に上端を回動自在に支持された搬出扉とを備え、自動販売機本体内の商品収納庫から商品が搬出されると、商品搬出口の搬出扉が商品によって押開けられ、商品が商品取出口に搬出されるようにしたものが知られている。しかしながら、前記商品取出口は、商品を取出す際に、開閉扉を前方に回動させることにより商品取出口を開放した後、手を商品取出口に挿入して商品を取出さなければならず、商品が取出し難いという欠点がある。そこで、開閉扉を後方に回動させることにより商品取出口を開放するようにして、商品取出口に手を挿入するのみで商品を取出可能にしたものがある。
【０００３】
また、従来の自動販売機では、自動販売機本体内部の商品の盗難を防止するために、商品取出口内の上部に防盗板を前後方向に回動自在に設け、商品取出口から手や異物を挿入して搬出扉を開放しようとすると、防盗板の下端が搬出扉の前面に当接して搬出扉の開放を規制するようにしたものが知られている（例えば、特許文献１参照）。
【特許文献１】２００１−１１８１２６号公報
【発明の開示】
【発明が解決しようとする課題】
【０００４】
しかしながら、開閉扉を後方に回動することにより商品取出口を開放するようにした自動販売機に防盗板を取付けた場合、通常の販売時において商品を取出す際、開閉扉及び防盗板に手や商品が接触するため、商品の取出性が低下するとともに、商品取出口内の視認性が低下するという問題点があった。
【０００５】
本発明は前記問題点に鑑みてなされたものであり、その目的とするところは、商品の取出性や商品取出口内の視認性を低下させることなく商品の盗難を確実に防止することのできる自動販売機の商品取出口構造を提供することにある。
【課題を解決するための手段】
【０００６】
本発明は前記目的を達成するために、商品取出口の内部後方に設けられた商品搬出口と、商品搬出口に上端を回動自在に支持された搬出扉とを備えた自動販売機の商品取出口構造において、前記商品取出口の上端に上端を回動自在に支持され、後方に回動することにより商品取出口を開放する開閉扉を備え、前記開閉扉の背面側に所定の後方回動位置で搬出扉と当接することによって搬出扉の開放を規制する規制部を設けている。これにより、開閉扉を後方に回動させることにより商品取出口を開放するとともに、開閉扉の背面側に所定の回動位置で搬出扉と当接する規制部が設けられていることから、防盗板を用いることなく開閉扉によって搬出扉の開放が規制される。
【発明の効果】
【０００７】
本発明によれば、開閉扉を押開けることにより開閉扉によって搬出扉の開放を規制することができるので、防盗性の向上を図ることができる。この場合、防盗板を用いることなく商品の抜き取りを防止することができるので、商品の取出性及び商品取出口内の視認性を低下させることがないという利点がある。
【発明を実施するための最良の形態】
【０００８】
図１乃至図５は本発明の一実施形態を示すもので、図１は商品取出口の側面断面図、図２は商品取出口斜視図、図３乃至図５は開閉扉の動作を示す商品取出口の側面断面図である。
【０００９】
この自動販売機の商品取出口構造は、利用者が商品Ａを取出す商品取出口１と、商品取出口１を開閉する開閉扉２と、自動販売機本体の図示しない商品収納庫から商品Ａを搬出する商品搬出口３と、商品搬出口３を開閉する搬出扉４と、搬出された商品Ａを受容する商品受容部５とから構成されている。
【００１０】
商品取出口１は、自動販売機の外扉下部に設けられ、商品取出口１内の上部には前下りに傾斜する上面板１ａが設けられている。
【００１１】
開閉扉２は、商品取出口１を内部から覆うように形成され、商品取出口１の上部に上端を支軸２ａを介して回動自在に連結され、後方に回動することにより商品取出口１を開放するようになっている。開閉扉２の背面下端側には搬出扉４の開放を規制する断面半円形状の規制部２ｂが幅方向に延びるように形成され、背面上端側には開閉扉２を補強する突起部２ｃが幅方向に延びるように形成されている。また、開閉扉２の前面下端側には商品取出口１の下端を上方から覆う延出部２ｄが商品取出口１の幅方向に亘って前方に突設され、延出部２ｄは先端部を下方に向けるように形成されている。
【００１２】
商品搬出口３は、自動販売機本体内の内扉を開口することにより設けられ、商品取出口１の内部後方に配置されている。
【００１３】
搬出扉４は、商品搬出口３の上部に上端を回動自在に支持され、前方に回動することにより商品搬出口３を開放するようになっている。
【００１４】
商品受容部５は、商品取出口１内の下部に設けられ、商品搬出口３から搬出された商品Ａを受容するようになっている。
【００１５】
以上のように構成された自動販売機の商品取出口構造においては、自動販売機本体内の商品収納庫から商品Ａが搬出されると、図３に示すように、商品搬出口３の搬出扉４が商品Ａによって押開けられ、商品Ａが商品受容部５に搬出される。商品Ａを取出すときは、利用者が開閉扉２を押開けることによって商品取出口１が開放され、商品Ａを取出すことができる。このとき、開閉扉２が後方に押込まれると、図４に示すように、規制部２ｂが搬出扉４に当接することによって搬出扉４の開放が規制される。開閉扉２が更に後方に押込まれると、図５に示すように、開閉扉２の下端が搬出扉４に当接することによって搬出扉４の開放が規制される。このとき、規制部２ｂは搬出扉４に当接しないように設けられているので、規制部２ｂが設けられていない開閉扉と比べて開閉扉２の開放角度が小さくなることはない。従って、不正に商品Ａを取出す目的で手を挿入した場合は、開閉扉２により常に搬出扉４の開放が規制され、搬出扉４を開けることはできない。
【００１６】
このように、本実施形態の自動販売機の商品取出口構造によれば、開閉扉２を後方に回動することにより商品取出口１を開放するようにし、開閉扉２の背面側に搬出扉４の開放を規制する規制部２ｂを設けたので、開閉扉２を押開けることにより開閉扉２によって搬出扉４の開放を規制することができ、防盗性の向上を図ることができる。この場合、防盗板を用いることなく自動販売機の本体の図示しない商品収納庫から商品Ａの抜き取りを防止することができるので、商品Ａの取出性及び商品取出口１内の視認性を低下させることがないという利点がある。
【００１７】
また、規制部２ｂを開閉扉２の幅方向に延びる断面半円形状の凸部によって形成したので、規制部２ｂを開閉扉２と一体に形成することができ、生産性の向上を図ることができる。また、開閉扉２の強度を向上させることができ、開閉扉２の耐久性を向上させることができる。
【００１８】
また、開閉扉２の背面側の上部に幅方向に延びる突出部２ｃを設けたので、開閉扉２の強度を更に向上させることができ、開閉扉２の耐久性を更に向上させることができる。
【００１９】
また、開閉扉２の前面側に商品取出口１の下端を幅方向に亘って上方から覆う延出部２ｄを設けたので、商品取出口１の下端と開閉扉２との隙間に侵入する雨水や塵埃の侵入を最小限にすることができ、商品取出口内を清潔に保つことができる。
【００２０】
尚、前記実施形態では、開閉扉２の背面下端側に搬出扉４の開放を規制する断面半円形状の規制部２ｂが幅方向に延びるように形成されたものを示したが、図６に示すように、断面半円形状に形成された複数の規制部２ｅを互いに幅方向に間隔をおいて設けるようにしてもよい。また、商品取出口１内に複数の搬出扉４が設けられている場合は、開閉扉２の各搬出扉４に対向する位置にそれぞれ少なくとも一つの規制部２ｅを設けるようにしてもよい。
【図面の簡単な説明】
【００２１】
【図１】本発明の一実施形態を示す自動販売機の商品取出口の側面断面図
【図２】商品取出口の斜視図
【図３】開閉扉の動作を示す側面断面図
【図４】開閉扉の動作を示す側面断面図
【図５】開閉扉の動作を示す側面断面図
【図６】規制部の他の形態を示す斜視図
【符号の説明】
【００２２】
１…商品取出口、２…開閉扉、２ｂ…規制部、２ｃ…突起部、２ｄ…延出部、３…商品搬出口、４…搬出扉。
【図１】
2005196473.tif 000003
【図２】
2005196473.tif 000004
【図３】
2005196473.tif 000005
【図４】
2005196473.tif 000006
【図５】
2005196473.tif 000007
【図６】
2005196473.tif 000008